(57)【要約】【課題】締め付け具によって支管を仮固定する際の締め付け荷重の適否を容易に確認することができ、締め付け荷重の不足を確実に防止できる支管の取付構造を提供する。【解決手段】本管１２と支管１１とを接続する際に、本管１２に取り付けた支管１１のサドル部１３を締め付け具１５で締め付けて仮固定する際に、前記締め付け具１５の内側で、該締め付け具１５が接する本管表面又は支管表面（サドル部表面）との間に、前記締め付け具１５の締め付け荷重により変色する感圧シート１８を介在させる。【選択図】    図１
2005048804.tif 000002
【特許請求の範囲】
【請求項１】
本管と支管とを接続する際に、本管に取り付けた支管を締め付け具で締め付けて仮固定する支管の取付構造において、前記締め付け具の内側で、該締め付け具が接する本管表面又は支管表面との間に、前記締め付け具の締め付け荷重により変色する感圧シートを介在させたことを特徴とする支管の取付構造。
【請求項２】
前記感圧シートは、前記締め付け具の内側にあらかじめ貼り付けられていることを特徴とする請求項１記載の支管の取付構造。
【請求項３】
前記感圧シートは、前記支管の表面にあらかじめ貼り付けられていることを特徴とする請求項１記載の支管の取付構造。
【発明の詳細な説明】
【０００１】
【発明の属する技術分野】
本発明は、支管の取付構造に関し、詳しくは、水道管や電力、通信ケーブル保護管等の本管に支管を接合剤等を用いて接続する際に、支管を本管に対して番線やバンド等の締め付け具で仮固定を行う取付構造に関する。
【０００２】
【従来の技術】
本管に支管を取り付ける場合、支管のサドル部（スカート部）に接合剤等を塗布して本管側面に接合することが行われている。このとき、接合剤が凝固するまでの間、支管を所定の状態に保持するため、従来は、番線（ワイヤ）で締め付けて仮固定するようにしていた（例えば、特許文献１参照。）。しかし、番線を用いて仮固定するには、職人的な技術が必要である上、作業にも時間を要することがある。このため、最近は、ステンレスバンドや樹脂製のシュリンクバンド等の締め付け具を用いて簡易的に締め付けを行うことが多い。
【０００３】
【特許文献１】
実公平１−３０７１４号公報
【０００４】
【発明が解決しようとする課題】
前記締め付け具を用いることにより、特別な技術を要することなく、誰にでも締め付けが可能となる反面、締め付け力に個人的な差が生じるため、接合剤に対する締め付け荷重が不十分なまま支管が取り付けられてしまい、本管と支管との接合強度が低下するおそれがあった。
【０００５】
そこで本発明は、締め付け具によって支管を仮固定する際の締め付け荷重の適否を容易に確認することができ、締め付け荷重の不足を確実に防止できる支管の取付構造を提供することを目的としている。
【０００６】
【課題を解決するための手段】
上記目的を達成するため、本発明の支管の取付構造は、本管と支管とを接続する際に、本管に取り付けた支管を締め付け具で締め付けて仮固定する支管の取付構造において、前記締め付け具の内側で、該締め付け具が接する本管表面又は支管表面との間に、前記締め付け具の締め付け荷重により変色する感圧シートを介在させたことを特徴としている。
【０００７】
さらに、前記感圧シートが前記締め付け具の内側にあらかじめ貼り付けられていること、あるいは、前記感圧シートが前記支管の表面にあらかじめ貼り付けられていることを特徴としている。
【０００８】
【発明の実施の形態】
図１乃至図３は、本発明の支管の取付構造の一形態例を示すもので、図１は正面図、図２は断面側面図、図３は要部の断面側面図である。
【０００９】
支管１１は、本管１２の側面に接合剤を介して接合されるサドル部１３と、該サドル部１３の中央に立設した受口１４とを有している。この支管１１を本管１２に取り付ける際には、まず、支管１１の取付位置を確認し、サドル部１３の内面に接合剤を塗布した後、サドル部１３を本管１２の所定位置に取り付け、次いで、締め付け具１５を本管１２からサドル部１３にわたって巻回し、締め付け部１６のボルト１７をドライバー等で締め付けて支管１１を本管１２に仮固定するという順序で行われる。なお、締め付け具１５としてシュリンクバンド等を用いる場合は、手締めによって締め付け仮固定することが多い。
【００１０】
そして、前記締め付け具１５を用いて支管１１を締め付ける際に、該締め付け具１５の内側で、該締め付け具１５が接する本管１２の表面又は支管１１におけるサドル部１３の表面との間に、前記締め付け具１５の締め付け荷重により変色する感圧シート１８を介在させておく。この感圧シート１８の位置は適当に設定することができるが、通常は、前記締め付け部１６の近傍で、ボルト１７を締め付ける際に視認可能な位置であることが好ましい。また、感圧シート１８の大きさや形状も任意であり、締め付け時に変色を確認できるようになっていればよい。さらに、感圧シート１８は、少なくとも１箇所に設けておけばよいが、複数箇所に設けておくこともできる。
【００１１】
このような感圧シート１８としては、ベースとなる合成樹脂製フィルム又はシートの表面に顕色剤及びマイクロカプセル化した発色剤を塗布したものを用いることができ、例えば、歯科において咬合力を診断するために用いられている咬合力診断シートと同種のものを使用することができる。例えば、特許第３０７７９５４号公報等に記載されているように、２５μｍの厚さのＰＥＴ（ポリエチレンテレフタレート）製フィルムの表面に、酸性白土（モンモリナイト）硫酸処理物をカセイソーダを含む水に分散した液を塗布して乾燥させた顕色剤塗布層を形成し、さらに、この顕色剤塗布層の上に、１−フェニル−１−キシリルエタン等の発色剤をオイルに溶解してマイクロカプセル化した発色剤を塗布した発色剤塗布層を有する感圧シートを用いることができる。そして、マイクロカプセルの強度を調整することにより、その破壊圧力を締め付け具１５の所定の締め付け圧力に対応させることができる。
【００１２】
本形態例に示すように、このような感圧シート１８を、締め付け具１５とサドル部１３との間に介在させておくと、ボルト１７での締め付け時に、締め付け具１５による本管１２と支管１１との締め付け荷重があらかじめ設定された荷重（圧力）を超えたときに、前記マイクロカプセルが破壊し、中の発色剤がオイルと共に顕色剤に吸収され、例えば赤色に発色する。この発色の濃度は圧力と共に濃くなり、例えば赤色に発色する場合は、ピンク又はオレンジを経て赤色になる。
【００１３】
したがって、締め付け荷重が不足しているときには感圧シート１８が変色せず、例えば白色のままであるから、感圧シート１８の色調を目視するだけで締め付け荷重が不足していることを確認でき、より強く締め付ける必要があることを知ることができる。これにより、締め付け荷重の不足を未然に回避することができるので、支管１１を本管１２に確実に取り付けることができる。
【００１４】
前記感圧シート１８は、締め付け具１５を用いて支管１１を締め付け仮固定する際に、所定位置に感圧シート１８を配置することもできるが、感圧シート１８の一側面に粘着剤層を設けておくことにより、支管１１の表面（サドル部表面を含む）の締め付け位置に感圧シート１８をあらかじめ貼り付けておき、この感圧シート１８の部分を通るようにして締め付け具１５を巻回するようにしてもよい。さらに、図４の正面図及び図５の側面図に示すように、締め付け具１５として使用するステンレスバンド２１あるいはシュリンクバンド等の内側の適当な位置に感圧シート１８をあらかじめ貼り付けておくこともできる。
【００１５】
なお、本発明は、ゴム製受口に差口を挿入してバンド等の締め付け具で締め付け固定する際にも適用可能である。
【００１６】
【発明の効果】
以上説明したように、本発明の支管の取付構造によれば、本管へ支管を仮固定する際の締め付け力が、規定の締め付け力で十分に締め付けられていることを容易に確認することができる。したがって、仮固定時の締め付け不足に起因する本管と支管との接合強度の低下を防止することができ、施工後の漏水や支管脱落のおそれもなくなる。
【図面の簡単な説明】
【図１】本発明の支管の取付構造の一形態例を示すも正面図である。
【図２】同じく断面側面図である。
【図３】同じく要部の断面側面図である。
【図４】感圧シートを貼り付けたステンレスバンドの一例を示す正面図である。
【図５】同じく側面図である。
【符号の説明】
１１…支管、１２…本管、１３…サドル部、１４…受口、１５…締め付け具、１６…締め付け部、１７…ボルト、１８…感圧シート、２１…ステンレスバンド
【図１】
2005048804.tif 000003
【図２】
2005048804.tif 000004
【図３】
2005048804.tif 000005
【図４】
2005048804.tif 000006
【図５】
2005048804.tif 000007